(57)【要約】【課題】  ソファ本体への脚と肘掛けの脱着が容易であり、脚も肘掛けも安定する肘掛け付きソファを提供する。【解決手段】  ソファ本体の外側に配置された脚が当該ソファ本体と肘掛けに狭まれて、ソファ本体の側面に取り付けられた肘掛け付ソファである。脚をソファ本体に取り付け、肘掛けはその脚の外からソファ本体に取り付けることもできる。脚とその外側の肘掛けを共通の止め具でソファ本体に取り付けることもできる。ソファ本体の幅方向両外側の肘掛けは非対称の形状、サイズであってもよい。ソファ本体の幅方向両外側の肘掛けのうち、少なくともいずれか一方が昇降又は変形可能であり、昇降若しくは変形させることによって両肘掛けが非対称となるものであってもよい。【選択図】図１
2017196208.tif 000002
【特許請求の範囲】
【請求項１】
ソファ本体と肘掛けと脚を備えた肘掛け付ソファにおいて、
ソファ本体の外側に配置された脚が当該ソファ本体と肘掛けに狭まれて、ソファ本体の側面に取り付けられた、
ことを特徴とする肘掛け付ソファ。
【請求項２】
請求項１記載の肘掛け付ソファにおいて、
脚がソファ本体に取り付けられ、肘掛けがその脚の外からソファ本体に取り付けられた、
ことを特徴とする肘掛け付ソファ。
【請求項３】
請求項１記載の肘掛け付ソファにおいて、
ソファ本体の外側に配置された脚と、その脚の外側に配置された肘掛けが、共通の止め具でソファ本体に取り付けられた、
ことを特徴とする肘掛け付ソファ。
【請求項４】
請求項１から請求項３のいずれか１項に記載の肘掛け付ソファにおいて、
肘掛けがソファ本体の幅方向両外側に取り付けられ、
ソファ本体の幅方向両外側の肘掛けが非対称の形状、サイズである、
ことを特徴とする肘掛け付ソファ。
【請求項５】
請求項４記載の肘掛け付ソファにおいて、
ソファ本体の幅方向両外側の少なくともいずれか一方が、昇降又は変形可能であり、昇降若しくは変形させることによって両肘掛けが非対称となる、
ことを特徴とする着座具の肘掛け付ソファ。
【発明の詳細な説明】
【技術分野】
【０００１】
本発明は、着座可能なソファ本体の幅方向外側に肘掛けを備え、ソファ本体の下方に脚を備えた肘掛け付きソファに関する。
【背景技術】
【０００２】
肘掛け付きソファの一つとして特許文献１に示すものがある。特許文献１の肘掛け付きソファはソファ本体の側面に肘掛けが取付けられ、その肘掛けの底面に脚が取り付けられている。この他にも、ソファ本体の側面に肘掛けが取付けられ、ソファ本体の下に脚が取付けられたものもある。
【先行技術文献】
【特許文献】
【０００３】
【特許文献１】特開２００７−０４４１４７号公報
【発明の概要】
【発明が解決しようとする課題】
【０００４】
特許文献１のソファは、肘掛けをソファ本体の側面に取り付け、当該肘掛けに脚を取り付けるため取付け作業が面倒である。従来の他のソファは肘掛けをソファ本体の側面に取り付け、脚をソファ本体の底面に取り付けるため取付け作業が面倒である。いずれのソファも肘掛けを取付けるためには、ソファ本体の側面に肘掛け取付け用の補強板を取付け、ソファ本体の底面又は肘掛けの底面に脚取付け用の補強板を取付ける必要があるため、それらの取り付け作業も面倒であり、補強板の数だけ部品点数が増えてコストアップにもなる。従来のソファは安定性と強度を重視する観点から太い脚が用いられる傾向にある。太い脚を取り付けるとソファが大型化する。大型化するとマンションへの搬入、輸送用トラックへの積み込みや積み下ろしがしにくくなる。
【０００５】
本発明はソファ本体への脚と肘掛けの脱着が容易であり、脚も肘掛けも安定する肘掛け付きソファを提供することにある。
【課題を解決するための手段】
【０００６】
本発明の肘掛け付きソファは、脚をソファ本体の側面に取り付ける肘掛けとの間に挟んで固定したものである。この場合、脚をソファ本体の側面にネジや他の固定具で取付け、肘掛けをその脚の外側からソファ本体の側面にネジや他の固定具で取付けることができる。これとは別に、脚をソファ本体の側面に配置し、その脚の外側に肘掛けを配置し、その脚と肘掛けを共通のネジや他の固定具でソファ本体の側面に取付けることもできる。
【発明の効果】
【０００７】
本発明の肘掛け付きソファは次の効果を有する。
（１）脚をソファ本体の側面と肘掛けで挟んでソファ本体に取り付けるので、ソファ本体への脚と肘掛けの取付けが容易にできる。
（２）脚がソファ本体の側面と肘掛けの間に挟まれて取り付けられるので安定する。
（３）肘掛けがソファ本体のみならず、接地する脚によっても支持されるため安定する。
（４）脚も肘掛けもソファ本体の台輪（周枠）に取り付けることができるため、脚取付け板、肘掛け取り付け板が脚および肘掛けの取付けが容易かつ強固になる。
【図面の簡単な説明】
【０００８】
【図１】本発明の肘掛け付きソファの一例を示すものであって、（ａ）は正面図、（ｂ）は（ａ）の右側面図。
【図２】ソファの枠への脚及び肘掛けの取付け説明図であって、（ａ）はソファ本体の枠（本体枠）の横に脚を配置した状態の説明図、（ｂ）は脚の外側に肘掛けを配置した状態の説明図、（ｃ）は脚が固定された枠体の外側に（ｂ）とは形状の異なる肘掛けを配置した状態を示す説明図。
【図３】肘掛けと枠体の取付け部分の説明図であって、（ａ）は枠体に肘掛けを取り付ける前の状態を示す斜視図、（ｂ）は（ａ）の一部断面の正面図、（ｃ）は（ａ）の一部断面の背面図。
【図４】本発明の脚取付け構造を備えた肘掛け付きソファの他例を示すものであって、（ａ）は正面図、（ｂ）は（ａ）の側面図。
【図５】本発明の肘掛け付きソファの肘掛けの組合せ例を示すものであって、（ａ）は左肘掛けとして右肘掛けよりも幅が狭く、高さの高い肘掛けを設けた場合の正面図、（ｂ）は左肘掛けとして右肘掛けよりも幅が広く、高さの低い肘掛けを設けた場合の正面図、（ｃ）は左肘掛けとして右肘掛けよりも幅が広く、高さが同じ肘掛けを設けた場合の正面図、（ｄ）は左肘掛けとして右肘掛けと幅が同じで、高さが低い肘掛けを設けた場合の正面図。
【発明を実施するための形態】
【０００９】
（実施形態１）
本発明の肘掛け付きソファの実施形態の一例を、図面を参照して説明する。この説明では、三人掛けの肘掛け付きソファを一例として説明するが、肘掛け付きソファは一人掛けや二人掛けでも、四人掛け以上であってもよい。
【００１０】
図１に示す肘掛け付きソファは、ソファ本体１と肘掛け２と脚３を備えている。脚３はソファ本体１の幅方向側面外側に配置され、脚固定具（一例としてネジ）９でソファ本体１の周枠４に固定されている。肘掛け２は図２（ｂ）に示すように前記脚３の外側に配置して、ソファ本体１の幅方向側面に固定されている。
【００１１】
ソファ本体１は図２（ａ）〜（ｃ）に示すように、側面視Ｌ字状の周枠４と、周枠４の受枠部４ａの上に配置した座クッション５と背クッション６を備えている。周枠４は横長方形枠状の受枠４ａとその後方から立ち上がる背枠４ｂを備える。受枠４ａは座クッション５を支持することができ、背枠４ｂは背クッション６を支持することができる。
【００１２】
肘掛け２の一例として図２（ｂ）及び図３（ａ）〜（ｃ）に示す肘掛２（右肘掛け２ｂ）は正面略正方形であり側面横長（ソファの前後方向へ細長）の六面体である。図２（ｃ）に示す肘掛け２（右肘掛け２ｂ）は正面縦長であり側面横長（ソファの前後方向へ細長）の六面体である。図４（ａ）（ｂ）に示す肘掛け２（右肘掛け２ｂ）は正面視下向きＬ字状である。本発明における肘掛け２には図２（ｂ）及び図３（ａ）〜（ｃ）とは異なる各種形状、構造のものを使用することもできる。左右の肘掛け２は必ずしも同じ構造である必要はなく、高さ、幅、奥行き等のサイズが異なるものであってもよい。
【００１３】
肘掛け２は一部を外側又は内側に傾倒させるとか伸縮させる（変形させる）ことによって形状や高さを変えられるものや、一部又は全部を昇降させることによって高さを変えられるものであってもよい。また、上面に本やコップ、皿などの種々の物品を載せられるテーブル１３（図５（ａ）〜（ｄ）参照）を備えたものや、テレビやビデオのリモコン、筆記具等を収容可能な蓋付きの収容空間を備えたものであってもよい。
【００１４】
図１のソファ本体１は、幅方向両側面に一つずつ、底面に二つ（合計四つ）の脚３を備えている。幅方向両側面に設けられた脚３（本願において、「外側脚３ａ」という）は、図２（ａ）に示すように、側面視上向きコ字状であり、脚固定具９によって枠体４の側面に固定されている。図示する外側脚３ａは一例であり、これ以外の形状、構造であってもよい。
【００１５】
二つの外側脚３ａはそれらの外側に配置された肘掛け２とソファ枠体４によって挟まれている。具体的には図３（ｂ）に示すように肘掛け２（右肘掛け２ｂ）の内側から外側に突設されている肘掛け固定具（一例としてボルト）７を周枠４の挿通孔８に差し込み、その肘掛け固定具７に受枠４ａの内側からナット１１を螺合して締め付けて、ソファ本体１の幅方向側面に固定してある。肘掛け２の固定具はボルト７及びナット１１以外のものであってもよい。
【００１６】
図１の脚３のうち、ソファ本体１の底面に設けられた脚３（以下の説明において「内側脚３ｂ」という）は、本体１の底面に設けられた取付け板（図示しない）に固定されている。内側脚３ｂは外側脚３ａと同じものでも、既存のソファで使用されているものであってもよい。内側脚３ｂもボルトナットによる固定、他の固定具による固定であってもよい。
【００１７】
（実施形態２）
実施形態１は脚３を脚固定具９で受枠４ａに取り付け、肘掛け２を肘掛け固定具９で受枠４ａに固定するものであるが、本願発明の肘掛け付ソファでは、内側脚３ｂと肘掛け２を共通の固定具、例えばボルトとナットで受枠４ａに固定することもできる。この場合は図３（ｂ）に示すように肘掛け２の内側から外側に突設されている肘掛け固定具（一例としてボルト）７を脚３の穴に差し込んで当該穴を貫通させ、更に、受枠４ａの脚取付け用の穴に差し込んで貫通させ、そのボルトに受枠４ａの内側からナット１１を螺合して締め付けてソファ本体１の幅方向側面に固定することもできる。
【００１８】
（肘掛けの組合せ例）
本発明のソファにおける肘掛け２の組合せ例について図面を参照して説明する。一例として図５（ａ）〜（ｄ）に示すものは、左右両側の肘掛け２の間に二つの座クッション５が配置された二人掛けの肘掛け付きソファである。
【００１９】
図５（ａ）は、左側肘掛け２ａとして、右側肘掛け２ｂよりも背が高く（Ｈ１＞Ｈ２）、幅の狭い（Ｗ１＜Ｗ２）肘掛けを用いた場合である。図５（ｂ）は図５（ａ）とは逆に左肘掛け２ａが右肘掛け２ｂよりも背が低く（Ｈ１＜Ｈ２）、幅の狭い（Ｗ１＞Ｗ２）肘掛けを用いた場合の例である。図５（ｃ）は左肘掛け２ａとして、右肘掛け２ｂと同じ又は略同じ高さ（Ｈ１＝Ｈ２）であり、右肘掛け２よりも幅の広い（Ｗ１＞Ｗ２）肘掛けを用いた場合の例である。図５（ｄ）は、左肘掛け２ａとして、右肘掛け２ｂと同じ又は略同じ幅（Ｗ１＝Ｗ２）であり、右肘掛け２ｂよりも背の低い（Ｈ１＜Ｈ２）肘掛けを用いた場合の例である。
【００２０】
図５（ａ）〜（ｄ）に示す例は一例であり、これら以外の組み合わせも可能である。図５（ａ）〜（ｄ）では、左右の肘掛け２が異なる構造であり、左右非対称となるようにしてあるが、同じ構造の肘掛け２を用いて左右対称となるようにすることもできる。また、左右の肘掛け２として昇降や変形可能な肘掛け２を用いることもできる。この場合、左右の肘掛け２の双方又はいずれか一方を変形させることによって、左右の肘掛け２が非対称となるようにすることもできる。
【産業上の利用可能性】
【００２１】
本発明のソファの脚および肘掛け取付け構造は、脚および肘掛けを備えた他の形状、構造の着座具にも利用可能である。
【符号の説明】
【００２２】
１      本体
２      肘掛け
２ａ    左肘掛け
２ｂ    右肘掛け
３      脚
３ａ    外側脚
３ｂ    内側脚
４      枠体
４ａ    受枠
４ｂ    背枠
５      座クッション
６      背クッション
７      棒ネジ
８      挿通孔
９      脚固定具
１０    ネジ孔
１１    ナット
１２ａ  （座枠の）側方板
１２ｂ  （背枠の）側方板
１３    テーブル
【図１】
2017196208.tif 000003
【図２】
2017196208.tif 000004
【図３】
2017196208.tif 000005
【図４】
2017196208.tif 000006
【図５】
2017196208.tif 000007